(57)【要約】  足の甲から足裏、踵及び足首までの領域の表面を覆うことが可能な筒状サポーターと、筒状サポーターに取り付けられ、筒状サポーターの上から足に装着可能なベルト型サポーターとを備え、ベルト型サポーターは、足首ベルト、裏側踵ホールドベルト、患部押圧ベルト、後側踵ホールドベルトを備え、筒状サポーターは、ベルト型サポーターよりも伸びが大きい布製であり、用いられる糸の太さは３０デニール以上７０デニール以下、衣服圧が１０ｍｍＨｇ以上２０ｍｍＨｇ以下である。
2019159281.tif 000002
【特許請求の範囲】
【請求項１】
人体の足に装着可能な、伸縮性を有する踵足首サポーターであって、
足の甲から足裏、踵及び足首までの領域の表面を覆うことが可能な筒状サポーターと、前記筒状サポーターに取り付けられ、前記筒状サポーターの上から足に装着可能なベルト型サポーターとを備え、
前記ベルト型サポーターは、それぞれ帯状に形成された足首ベルトと、裏側踵ホールドベルトと、患部押圧ベルトと、後側踵ホールドベルトとを備え、
前記足首ベルトは、前記足の内くるぶし及び外くるぶしの上方で足首に巻き回されることにより前記足首に固定可能に設けられ、
前記裏側踵ホールドベルトは、長手方向の一端部が前記足首ベルトに固定され、該一端部から他端部にかけて前記足首ベルトの下方に向けて延びて設けられ、前記足首ベルトに連続して設けられて前記内くるぶし近傍を覆うことができる内側カバー部と、この内側カバー部に連続して設けられて踵骨前部の足裏を覆うことができる足裏カバー部と、この足裏カバー部に連続して設けられて前記外くるぶし近傍を覆うことができる外側カバー部とを備えており、前記裏側踵ホールドベルトの他端部が前記足首ベルトの外表面に固定されることにより伸張状態で前記足裏を通して前記足に固定可能であり、
前記患部押圧ベルトは、長手方向の一端部が前記裏側踵ホールドベルトに固定され、該一端部から他端部にかけて前記裏側踵ホールドベルトから徐々に離れる方向の斜め前方に延びて設けられ、前記足の外側から前記足の甲側を通して前記足の内側に向かう方向に巻き回されて患部を覆うことができる押圧部を備えており、前記患部押圧ベルトの他端部が前記足首ベルト、前記裏側踵ホールドベルト又は、前記患部押圧ベルトの長手方向の途中位置のいずれかの外表面に固定されることにより伸張状態で前記患部を覆って前記足に固定可能であり、
前記後側踵ホールドベルトは、長手方向の一端部が前記内くるぶし及び前記外くるぶしの下方において前記裏側踵ホールドベルトに固定され、前記裏側踵ホールドベルトから後方に向けて前記足首ベルトと平行に延びて設けられ、前記踵骨近傍の背部を覆うことができる後側カバー部を備えており、前記後側踵ホールドベルトの他端部が前記外側カバー部の外表面に固定されることにより伸張状態で前記背部を覆って前記足の踵に固定可能であり、
前記筒状サポーターは、前記ベルト型サポーターよりも伸びが大きい布製であり、用いられる糸の太さは３０デニール以上７０デニール以下、衣服圧が１０ｍｍＨｇ以上２０ｍｍＨｇ以下であることを特徴とする踵足首サポーター。
【請求項２】
前記筒状サポーターの伸張力は前記ベルト型サポーターの各ベルトよりも伸びが大きいことを特徴とする請求項１記載の踵足首サポーター。
【請求項３】
前記ベルト型サポーターは前記筒状サポーターに着脱可能であり、前記筒状サポーターに、前記足首ベルトを挿通して保持するベルトループが設けられていることを特徴とする請求項１記載の踵足首サポーター。
【請求項４】
前記後側踵ホールドベルトは前記ベルト型サポーターに着脱可能に設けられていることを特徴とする請求項１記載の踵足首サポーター。
【請求項５】
前記筒状サポーターの先端部に、足の甲から足裏の部分を１周以上巻いて固定可能な甲ホールドベルトが着脱可能に設けられていることを特徴とする請求項１記載の踵足首サポーター。
【請求項６】
前記後側踵ホールドベルトは、前記内くるぶし及び前記外くるぶしの下方で足裏に近い位置に設けられる第１後側踵ホールドベルトと、前記第１後側踵ホールドベルトよりも前記内くるぶし及び前記外くるぶしに近い位置に設けられる第２後側踵ホールドベルトとの２本により構成されていることを特徴とする請求項１記載の踵足首サポーター。
【請求項７】
前記第１後側踵ホールドベルトは、その一端部が前記裏側踵ホールドベルトの内側カバー部に固定され、前記第２後側踵ホールドベルトは、その一端部が前記裏側踵ホールドベルトの外側カバー部に固定されていることを特徴とする請求項６記載の踵足首サポーター。
【請求項８】
前記筒状サポーターは吸湿発熱生地により形成されていることを特徴とする請求項１記載の踵足首サポーター。
【発明の詳細な説明】
【技術分野】
【０００１】
本発明は、足首周辺の骨や関節及び筋肉を適切に固定して、足首周辺の骨や関節の矯正を可能にする踵足首サポーターに関する。
【背景技術】
【０００２】
従来、足首の内反による捻挫の防止、保温を目的とした種々のサポーターが用いられている。【０００３】
例えば、特許文献１では、足首に巻締めるアンカーストラップと、足の外側から甲及び足底を回り、再び甲を通り足の後側に回って８の字状に巻締めるフィギュアエイトストラップとが外側表面に面ファスナーを有する伸縮性のテープ状体で一体に形成され、さらにアンカーストラップに内くるぶしから足底を回り外くるぶしを通って巻締めるスターアップストラップの一端を固定した足関節テーピングサポーターが提案されている。また、特許文献１には、この足関節テーピングサポーターによれば、底屈や背屈を妨げないようにしながら、縦方向に伸縮し難いスターアップストラップを足の内側から足底を回して巻き締めることにより、足首を外反方向に付勢でき、足首の内反、外反を抑制できることが記載させている。【０００４】
また、特許文献２では、装着時に足先と踵を露出させる筒状部が形成された足関節被覆体と、筒状部の足裏対応部前方において長手方向両端部がフリーとなるように略Ｔ字状に連成された固定用ベルト片とが一体に設けられた足関節サポーターが提案されている。この特許文献２には、足関節被覆体の後背側は、重ね合せ支着片を開くことによりオープン状態とでき、そこから筒状部に足を挿入した後で、重ね合せ支着片を止着固定するとともに、固定用ベルト片の両端を足甲部を経てくるぶし方向へ交差させながら止着固定することにより、足関節サポーターを足関節部に容易に装着でき、足関節部を足関節被覆体と固定ベルト片とにより、強固かつ的確に固定保持できることが記載されている。【０００５】
従来、足首の内反捻挫については、急性期の症状や慢性期に不定期に訪れる痛みには、上述のような足首用サポーターによって対応してきた。しかし、このような内反捻挫用サポーターでは、一部の症状緩和に対応できても、距骨や踵骨の保護、矯正、外傷の症状緩和など、足首周辺に生じる広範囲の不安定症状をサポートすることができず、これらの不安定症状を広範囲でサポート可能なサポーターが望まれていた。【０００６】
そこで、本出願人は、特許文献３にて、足首ベルトと、踵ホールドベルトと、距骨押圧ベルトとを有する踵足首サポーターを提供し、さらに、特許文献４にて、特許文献３に開示の踵足首サポーターを改良し、足首ベルトと、裏側踵ホールドベルトと、患部押圧ベルトと、後側踵ホールドベルトとを有する踵足首サポーターを提供した。これら踵足首サポーターにより、足首周辺の骨及び関節、外傷を効果的に保護することができるようになった。
【先行技術文献】
【特許文献】
【０００７】
【特許文献１】特開平１０‐２４８８６５号公報
【特許文献２】特開３９９０４９４号公報
【特許文献３】特開２０１６‐２１４６４９号公報
【特許文献４】特開２０１７‐１９２５７０号公報
【発明の概要】
【発明が解決しようとする課題】
【０００８】
本発明は、踵足首サポーターの機能をさらに向上させ、足首周辺の骨及び関節、外傷を効果的に保護することができ、足首周辺の骨や関節の矯正や外傷症状の緩和を可能にするだけでなく、骨とともに骨の周辺の筋肉をも保護して、筋肉の過度の伸長を防止し、矯正中の肉離れやじん帯断裂等を防止することができる踵足首サポーターを提供することを目的とする。
【課題を解決するための手段】
【０００９】
本発明は、人体の足に装着可能な、伸縮性を有する踵足首サポーターであって、足の甲から足裏、踵及び足首までの領域の表面を覆うことが可能な筒状サポーターと、前記筒状サポーターに取り付けられ、前記筒状サポーターの上から足に装着可能なベルト型サポーターとを備え、前記ベルト型サポーターは、それぞれ帯状に形成された足首ベルトと、裏側踵ホールドベルトと、患部押圧ベルトと、後側踵ホールドベルトとを備え、前記足首ベルトは、前記足の内くるぶし及び外くるぶしの上方で足首に巻き回されることにより前記足首に固定可能に設けられ、前記裏側踵ホールドベルトは、長手方向の一端部が前記足首ベルトに固定され、該一端部から他端部にかけて前記足首ベルトの下方に向けて延びて設けられ、前記足首ベルトに連続して設けられて前記内くるぶし近傍を覆うことができる内側カバー部と、この内側カバー部に連続して設けられて踵骨前部の足裏を覆うことができる足裏カバー部と、この足裏カバー部に連続して設けられて前記外くるぶし近傍を覆うことができる外側カバー部とを備えており、前記裏側踵ホールドベルトの他端部が前記足首ベルトの外表面に固定されることにより伸張状態で前記足裏を通して前記足に固定可能であり、前記患部押圧ベルトは、長手方向の一端部が前記裏側踵ホールドベルトに固定され、該一端部から他端部にかけて前記裏側踵ホールドベルトから徐々に離れる方向の斜め前方に延びて設けられ、前記足の外側から前記足の甲側を通して前記足の内側に向かう方向に巻き回されて患部を覆うことができる押圧部を備えており、前記患部押圧ベルトの他端部が前記足首ベルト、前記裏側踵ホールドベルト又は、前記患部押圧ベルトの長手方向の途中位置のいずれかの外表面に固定されることにより伸張状態で前記患部を覆って前記足に固定可能であり、前記後側踵ホールドベルトは、長手方向の一端部が前記内くるぶし及び前記外くるぶしの下方において前記裏側踵ホールドベルトに固定され、前記裏側踵ホールドベルトから後方に向けて前記足首ベルトと平行に延びて設けられ、前記踵骨近傍の背部を覆うことができる後側カバー部を備えており、前記後側踵ホールドベルトの他端部が前記外側カバー部の外表面に固定されることにより伸張状態で前記背部を覆って前記足の踵に固定可能であり、前記筒状サポーターは、布製であり、用いられる糸の太さは３０デニール以上７０デニール以下、衣服圧が１０ｍｍＨｇ以上２０ｍｍＨｇ以下である。【００１０】
この踵足首サポーターによれば、足の甲から足裏、踵及び足首までの領域を筒状サポーターによって覆い、その筒状サポーターの上から、足首に巻き回して固定した足首ベルトと、内くるぶし側から踵骨前部の足裏を通して外くるぶし側に巻き返して固定した裏側踵ホールドベルトとを装着することにより、踵足首サポーターを足に固定できる。人によって足のサイズは異なるものであるが、筒状サポーターは伸縮性を有し、また足首ベルト及び裏側踵ホールドベルトは、それぞれ帯状のベルトを巻き回して足に装着されるようになっているので、個人の足のサイズに対応して足首ベルトと裏側踵ホールドベルトの配置を微調節することが可能である。したがって、踵足首サポーターを個人の足に対応させて安定して装着できる。【００１１】
また、この踵足首サポーターでは、後側踵ホールドベルトを、内くるぶし及び外くるぶしの下方において足の内側から踵骨近傍の背部を通して外側に巻き回して固定することで、踵骨の内転予防及び内転した踵骨の矯正を強固に行える。この際、足首ベルトと裏側踵ホールドベルトとは足に安定して固定された状態であるので、後側踵ホールドベルトも安定して固定され、後側踵ホールドベルトにより、踵骨を安定した配置に確実に保持できる。【００１２】
また、踵足首サポーターに設けられた患部押圧ベルトにより、種々の外傷症状の患部の保護や治療を目的として、患部を被覆したり、さらに押圧したりすることができる。この際、踵足首サポーターにおいては、患部の位置に合わせて、裏側踵ホールドベルトの配置を微調節することが可能であるので、患部押圧ベルトを安定して患部に当てることができる。さらに、裏側踵ホールドベルトから後方に延びて設けられる後側踵ホールドベルトに対して、患部押圧ベルトが裏側踵ホールドベルトから斜め前方に延びて設けられているので、後側踵ホールドベルトを踵に固定する際に、これら患部押圧ベルトと後側踵ホールドベルトとの間で裏側踵ホールドベルトに加えられる張力を均衡させることができる。したがって、後側踵ホールドベルトを安定した状態で踵に強固に固定できる。【００１３】
このように、踵足首サポーターは、個人差を生じることなく個人の足に安定して装着することが可能であり、これにより、踵骨を安定して保持できるので、確実に踵骨の左右変位を防止、矯正しながら、患部の保護や治療を行える。また、患部押圧ベルトにより各患部を確実に押圧して足首周辺の骨及び関節、外傷を効果的に保護することができるので、足首周辺の骨や関節の矯正や外傷症状を緩和して、自由度の高い治療を行うことができる。さらに、この踵足首サポーターは、足関節の軸を揃えて捻挫を予防すること、足裏のアーチ形状を改善すること、足関節の軸が正常になることで変形性膝及び股関節症やＯ脚等を予防すること、体幹を支えて腰痛を予防することなどの効果も期待できる。  【００１４】
この場合、足の甲から足裏、踵及び足首までの領域の表面が筒状サポーターによって覆われ、その上からベルト型サポーターが巻き回されて固定されるので、ベルト型サポーターが直接皮膚に触れることがないとともに、ずれにくいので、かぶれや、ずれによる擦傷等が生じにくく、安定して使用することができる。  【００１５】
また、筒状サポーターが所定の伸縮力を有しているので、足の甲から足裏、踵及び足首までの領域の表面全体を包み込むように適度に圧迫することができる。このため、その上から装着されるベルト型サポーターの締め付け力をベルトの直下だけでなく、筒状サポーターを経由してベルトの周辺の範囲にまで及ぼすことができ、骨だけでなく筋肉も広く押さえることができる。したがって、この踵足首サポーターを装着した人の歩行等の動作の際に、筋肉の過度の伸長を防止することができる。この筒状サポーターは、糸の太さは３０デニール以上７０デニール以下、衣服圧が１０ｍｍＨｇ以上２０ｍｍＨｇ以下であるので、足を押さえ過ぎることはなく、筋肉の適度な運動を妨げることはない。【００１６】
この筒状サポーターは、前記ベルト型サポーターの各ベルトよりも伸びが大きいのが好ましい。【００１７】
本発明の踵足首サポーターの好ましい実施態様として、前記ベルト型サポーターは前記筒状サポーターに着脱可能であり、前記筒状サポーターに、前記足首ベルトを挿通して保持するベルトループが設けられているとよい。筒状サポーターとベルト型サポーターとをそれぞれ最も適切な位置に固定することができる。また、筒状サポーターのベルトループにベルト型サポーターの足首ベルトを挿通した状態とすることにより、筒状サポーターとベルト型サポーターとを一体的に取り扱うことができるとともに、装着状態でのずれを確実に防止することができる。【００１８】
本発明の踵足首サポーターの別の実施態様として、前記後側踵ホールドベルトは前記ベルト型サポーターに着脱可能に設けられていてもよい。踵の固定やアキレス腱の固定を必要としない場合には後側踵ホールドベルトを外した状態で使用することができ、患者の症状に応じて適切に用いることができる。【００１９】
本発明の踵足首サポーターのさらに別の実施態様として、前記筒状サポーターの先端部に、足の甲から足裏の部分を１周以上巻いて固定可能な甲ホールドベルトが着脱可能に設けられていてもよい。甲の部分のけがの修復や甲の部分の衝撃緩和を必要とする場合に、甲ホールドベルトを取り付けて使用することができる。【００２０】
本発明の踵足首サポーターの別の実施態様として、前記後側踵ホールドベルトは、前記内くるぶし及び前記外くるぶしの下方で足裏に近い位置に設けられる第１後側踵ホールドベルトと、前記第１後側踵ホールドベルトよりも前記内くるぶし及び前記外くるぶしに近い位置に設けられる第２後側踵ホールドベルトとの２本により構成されていてもよい。第１後側踵ホールドベルトと第２後側踵ホールドベルトとの固定力を調整することにより、捻挫の症状等に合わせて適切な状態で足を固定することができる。【００２１】
本発明の踵足首サポーターの別の実施態様として、前記第１後側踵ホールドベルトは、その一端部が前記裏側踵ホールドベルトの内側カバー部に固定され、前記第２後側踵ホールドベルトは、その一端部が前記裏側踵ホールドベルトの外側カバー部に固定されていてもよい。第１後側踵ホールドベルトと第２後側踵ホールドベルトが逆方向に力を加えることができるので、これらの固定力を調整することにより、さらに最適な状態で足を固定することができる。【００２２】
また、本発明の踵足首サポーターの実施形態として、前記筒状サポーターは吸湿発熱生地により形成されているとよい。足の冷え、むくみ及び足の冷えから発生する自律神経不調や慢性血流不全を解消することができる。
【発明の効果】
【００２３】
本発明の踵足首サポーターによれば、帯状に形成された足首ベルトと、裏側踵ホールドベルトと、患部押圧ベルトと、後側踵ホールドベルトとを組み合わせることにより、足首周辺の骨及び関節、外傷を効果的に保護することができ、足首周辺の骨や関節の矯正や外傷症状の緩和を可能にできる。また、筒状サポーターにより、骨とともに骨の周辺の筋肉をも保護して、筋肉の過度の伸長を防止し、矯正中の肉離れやじん帯断裂等を防止することができる。
【図面の簡単な説明】
【００２４】
【図１】本発明の第１実施形態に係る踵足首サポーターにおけるベルト型サポーターの外表面を示す平面図である。
【図２】図１に示すベルト型サポーターの内表面を示す平面図である。
【図３】本発明の第１実施形態に係る踵足首サポーターにおける筒状サポーターを示す斜視図である。
【図４】母指側から見た右足と第１実施形態の踵足首サポーターとを示す図である。
【図５】母指側から見た右足と第１実施形態の踵足首サポーターとを示す図であり、足首ベルトと裏側踵ホールドベルトを装着した状態を示す。
【図６】小指側の斜め前方から見た右足と第１実施形態の踵足首サポーターとを示す図であり、足首ベルトと裏側踵ホールドベルトを装着した状態を示す。
【図７】小指側の斜め前方から見た右足と第１実施形態の踵足首サポーターとを示す図であり、踵足首サポーターの足への装着パターン例を示すものである。
【図８】小指側の斜め前方から見た右足と第１実施形態の踵足首サポーターとを示す図であり、踵足首サポーターの足への装着パターン例を示すものである。
【図９】小指側の斜め前方から見た右足と第１実施形態の踵足首サポーターとを示す図であり、踵足首サポーターの足への装着パターン例を示すものである。
【図１０】母指側から見た右足と第１実施形態の踵足首サポーターとを示す図であり、踵足首サポーターの足への装着パターン例を示すものである。
【図１１】母指側から見た右足と第１実施形態の踵足首サポーターとを示す図であり、踵足首サポーターの足への装着パターン例を示すものである。
【図１２】母指側から見た右足と第１実施形態の踵足首サポーターとを示す図であり、踵足首サポーターの足への装着パターン例を示すものである。
【図１３】本発明の第２実施形態に係る踵足首サポーターにおけるベルト型サポーターの外表面を示す平面図である。
【図１４】小指側の斜め前方から見た右足と第２実施形態の踵足首サポーターとを示す図であり、裏側踵ホールドベルトを装着する前の状態を示す。
【図１５】小指側の斜め前方から見た右足と本発明の第３実施形態の踵足首サポーターとを示す図であり、踵足首サポーターの足への装着パターン例を示す。
【図１６】本発明の第４実施形態に係る踵足首サポーターにおけるベルト型サポーターの外表面を示す平面図である。
【図１７】小指側の斜め前方から見た右足と第４実施形態の踵足首サポーターとを示す図であり、踵足首サポーターの足への装着パターン例を示す。
【図１８】本発明の第５実施形態に係る踵足首サポーターにおけるベルト型サポーターの外表面を示す平面図である。
【図１９】小指側の斜め前方から見た右足と第５実施形態の踵足首サポーターとを示す図であり、踵足首サポーターの足への装着パターン例を示す。
【発明を実施するための形態】
【００２５】
以下、本発明に係る踵足首サポーターの実施形態について説明する。
【００２６】
＜第１実施形態＞
踵足首サポーター１００は、人体の足２００に装着可能な、伸縮性を有するものであって、図１〜図１２に示すように、足２００の甲２２１から足裏２０４、踵２０９及び足首２０３までの領域の表面を覆うことが可能な筒状サポーター１１０と、筒状サポーター１１０に着脱可能に取り付けられ、筒状サポーター１１０の上から足２００に装着可能なベルト型サポーター１２０とを備えている。また、ベルト型サポーター１２０は、それぞれ幅４ｃｍ〜７ｃｍの帯状に形成された４つのベルト、すなわち、足首ベルト１０と、裏側踵ホールドベルト２０と、患部押圧ベルト３０と、後側踵ホールドベルト４０とを備える。なお、図示例はいずれも右足用の踵足首サポーター１００である。
【００２７】
筒状サポーター１１０は、そのサポーター本体１１１が、図３に示すように、靴下の先端部（つま先部）を除去した形状であり、伸縮性を有する布により形成される。具体的には、ポリウレタン、ポリプロピレン、ナイロン、ポリエステル、ポリエチレン、ポリエチレンテレフタレート、ポリアミド、ポリカーボネートなどの合成樹脂から選択される一種、あるいはこれらの二種以上の混紡からなる糸を用いた編み物又は織物である。例えば、ポリエステル、ポリウレタン、ナイロンの混紡からなる糸が用いられる。また、糸の太さは３０デニール以上７０デニール以下が好ましく、５０デニール以上７０デニール以下がより好ましい。衣服圧としては、１０ｍｍＨｇ以上２０ｍｍＨｇ以下がよい。衣服圧は、株式会社エイエムアイ・テクノ製エアパック型衣服圧計測装置「ＡＭＩ３０３７−１０」により測定することができる。
【００２８】
また、吸湿することにより発熱するアクリレート系樹脂からなる糸を用いることもできる。この吸湿発熱生地を用いることにより、足の冷え、むくみ及び足の冷えから発生する自律神経不調や慢性血流不全を解消することができる。したがって、この踵足首サポーター１００を用いることで、足関節の軸を揃えて捻挫予防、足裏アーチの改善、軸が正常になることで変形性膝及び股関節症やＯ脚予防、体幹を支えて腰痛予防、冷え、むくみの改善及び冷えの解消による自律神経や各種器官へのダメージの抑制も期待できる。
【００２９】
さらに、裏地と表地との二層構造としてもよく、その場合、足２００に接触する裏地には、綿等のように肌荒れを生じにくい天然繊維を用いてもよい。
【００３０】
この筒状サポーター１１０は、足２００の内くるぶし２０１及び外くるぶし２０２よりも上方の足首２０３の部分、具体的には両くるぶし２０１，２０２より数ｃｍ上方までの領域を覆うことができる大きさに形成され、その足首２０３を覆う部分には、ベルト型サポーター１２０の足首ベルト１０を挿通するための複数のベルトループ１１２が周方向に間隔をおいて設けられている。図３等に示す例では、ベルトループ１１２は、筒状サポーター１１０の前側に２本並んで設けられ、後側に１本設けられている。
【００３１】
ベルト型サポーター１２０の足首ベルト１０は、図４〜図６に示すように、足２００の内くるぶし２０１及び外くるぶし２０２の上方で足首２０３に巻き回されることにより足首２０３に固定可能に設けられている。
【００３２】
裏側踵ホールドベルト２０は、図１、図２、図４〜図６に示すように、長手方向の一端部が足首ベルト１０に固定され、その一端部から他端部にかけて足首ベルト１０の下方に向けて、足首ベルト１０に対して直交する方向に延びて設けられおり、足首ベルト１０に連続して設けられて内くるぶし２０１近傍を覆うことができる内側カバー部２１と、この内側カバー部２１に連続して設けられて踵骨２１０前部の足裏２０４を覆うことができる足裏カバー部２２と、この足裏カバー部２２に連続して設けられて外くるぶし２０２近傍を覆うことができる外側カバー部２３とを備えている。また、裏側踵ホールドベルト２０は、一端部に設けられた固定部２４により、足首ベルト１０の幅方向の下側の内表面に固定されている。そして、裏側踵ホールドベルト２０は、他端部が足２００の外側に配置された足首ベルト１０の外表面に固定されることにより、伸張状態で足裏２０４を通して足２００に固定可能に設けられている。
【００３３】
患部押圧ベルト３０は、図１、図２、図４に示すように、長手方向の一端部が裏側踵ホールドベルト２０に固定され、その一端部から他端部にかけて裏側踵ホールドベルト２０から徐々に離れる方向の斜め前方に、例えば３０°〜６０°、好ましくは４０°の交差角度αで延びて設けられ、足２００の外側から足２００の甲側を通して足２００の内側に向かう方向に巻き回されて患部を覆うことができる押圧部３１を備えている。そして、患部押圧ベルト３０は、他端部が足首ベルト１０、裏側踵ホールドベルト２０、又は患部押圧ベルト３０自体の長手方向の途中位置のいずれかの外表面に固定されることにより伸張状態で患部を覆って足２００に固定可能に設けられている。
【００３４】
また、患部押圧ベルト３０の一端部は、図１、図２、図４に示すように、裏側踵ホールドベルト２０の足裏カバー部２２に交差して設けられており、その交差部分の基端側、すなわち足裏カバー部２２の幅方向の後半部側及び長手方向の上側にかかる位置において、足裏カバー部２２の外表面に固定されている。これにより、患部押圧ベルト３０の一端部には、足裏カバー部２２に固定された固定部３２と、その固定部３２に連続して設けられて足裏カバー部２２の幅方向の前半部側及び長手方向の下側にかかる位置において足裏カバー部２２の外表面に重ねられる重ね合せ部３３とが形成されている。この場合、固定部３２は、図１及び図２に示すように、平面視が直角三角形状に形成され、その斜辺が裏側踵ホールドベルト２０の側縁に沿って形成され、その端縁（短辺）は患部押圧ベルト３０の長手方向と直交して設けられている。
【００３５】
また、患部押圧ベルト３０の内表面には、患部を押圧する押圧パッド５０が配置されている。この押圧パッド５０は、全体として厚み方向（押圧方向）に弾性を有する部材により設けられ、例えば、布製の袋体の内部にナイロン等の曲げに対する弾性を有する複数の弾性繊維が三次元に凝集（点接触）したクッション材を充填することにより形成することができる。この場合、クッション材が弾性を有するので、押圧力を分散して患部を均一に圧迫できる。また、クッション材は繊維構造からなるので、空気を通すことができ、患部に湿気がこもることを防止できる。また、この押圧パッド５０は、患部押圧ベルト３０を幅方向にまたぐ保持ベルト５１を備え、患部押圧ベルト３０の長手方向に沿って移動可能に設けられている。したがって、押圧パッド５０は、患部押圧ベルト３０の押圧部３１の付け根（基端部）の重ね合せ部３３までの広い範囲で移動させることができる。
【００３６】
後側踵ホールドベルト４０は、図４〜図６に示すように、長手方向の一端部が内くるぶし２０１及び外くるぶし２０２の下方において裏側踵ホールドベルト２０に固定され、裏側踵ホールドベルト２０から後方に向けて足首ベルト１０と平行に（裏側踵ホールドベルト２０の長さ方向と直角に）延びて設けられ、踵骨２１０近傍の背部を覆うことができる後側カバー部４１を備えている。また、後側踵ホールドベルト４０は、一端部に設けられた固定部４２により、裏側踵ホールドベルト２０の幅方向の前半部側の外表面に固定されており、後側踵ホールドベルト４０の一端部には、裏側踵ホールドベルト２０の外表面に固定された固定部４２と、その固定部４２に連続して設けられて裏側踵ホールドベルト２０の幅方向の後半分側の外表面に重ねられる重ね合せ部４３とが形成されている。
【００３７】
この場合、固定部４２は、裏側踵ホールドベルト２０の幅の１／３〜１／４の幅で、後側踵ホールドベルト４０の全幅にわたって形成されている。したがって、重ね合せ部４３は、裏側踵ホールドベルト２０の幅の２／３〜３／４の範囲に重ねられることになる。重ね合せ部４３の幅は、少なくとも裏側踵ホールドベルト２０の幅の半分（１／２）以上であることが好ましい。そして、後側踵ホールドベルト４０は、他端部が足２００の外側に配置された外側カバー部２３の外表面に固定されることにより伸張状態で踵骨２１０の背部を覆って足２００の踵２０９に固定可能に設けられている。
【００３８】
また、踵足首サポーター１００は、全体が樹脂等の伸縮性に富んだ素材からなり、肌に触れる内表面は吸水性・吸湿性に優れた不繊布等の素材で覆われている。そして、足首ベルト１０、裏側踵ホールドベルト２０、患部押圧ベルト３０及び後側踵ホールドベルト４０の他端部には、各内表面に面ファスナーのフック面部１５Ａ，２５Ａ，３５Ａ，４５Ａがそれぞれ設けられている。また、これらフック面部１５Ａ，２５Ａ，３５Ａ，４５Ａに対応するループ面部が、足首ベルト１０、裏側踵ホールドベルト２０、患部押圧ベルト３０及び後側踵ホールドベルト４０の外表面のいずれかの部分に設けられている。本実施形態の踵足首サポーター１００にあっては、足首ベルト１０、裏側踵ホールドベルト２０、患部押圧ベルト３０及び後側踵ホールドベルト４０の外表面の全体に、ループ面部が設けられている。なお、踵足首サポーター１００のループ面部は、外表面の全体に設けられることから、図示を省略している。
【００３９】
これらベルト型サポーター１２０は、ポリエステル系樹脂、ポリウレタン系樹脂、ポリオレフィン系樹脂、ポリアミド系樹脂等により形成され、伸縮性を有している。この場合、このベルト型サポーター１２０と前述した筒状サポーター１１０とは、筒状サポーター１１０の方が伸縮性に富んでおり、筒状サポーター１１０はベルト型サポーター１２０の各ベルト１０，２０，３０，４０よりも大きい伸びを示す素材が用いられる。これら筒状サポーター１１０及びｋ１２０の各ベルト１０，２０，３０，４０を同じ力で引っ張ったときには、筒状サポーター１１０の方がベルト型サポーター１２０よりも伸びが大きい。筒状サポーター１１０の５０％伸長力としては７Ｎ以上１０Ｎ以下であるとよい。５０％伸張力は、ＪＩＳ  Ｌ  １０９６に規定される伸張力の測定法に準拠し、伸びの５０％となる長さまで引き伸ばしたときの荷重である。
【００４０】
以上のように構成された踵足首サポーター１００の装着方法を説明する。
【００４１】
まず、図４に示すように、筒状サポーター１１０のベルトループ１１２のうち、後側（踵側）に設けられている１本のベルトループ１１２にベルト型サポーター１２０の足首ベルト１０を挿通させた状態としておき、筒状サポーター１１０を足２００に装着し、足２００の甲２２１から足裏２０４、踵２０９及び足首２０３までの領域の表面を筒状サポーター１１０によって覆う。ベルト型サポーター１２０の足首ベルト１０は、筒状サポーター１１０のみを足２００に装着した後に、後側のベルトループ１１２に挿通してもよい。
【００４２】
そして、足首ベルト１０を、内くるぶし２０１及び外くるぶし２０２のすぐ上方に巻回し、必要に応じて、筒状サポーター１１０の前側に配置されている２本のベルトループ１１２に足首ベルト１０を挿通し、内表面のフック面部１５Ａを外表面のループ面部に貼り付け、図５及び図６に示すように足首２０３に装着する。これにより、足首ベルト１０は、筒状サポーター１１０の上から足首２０３に装着される。また、このとき、裏側踵ホールドベルト２０の内側カバー部２１が内くるぶし２０１を覆って、足首ベルト１０から下方に延びるように、足首ベルト１０の位置を調節する。
【００４３】
次に、裏側踵ホールドベルト２０を、図５及び図６に示すように、足２００の内くるぶし２０１側（母指側）から足裏２０４を通り外くるぶし２０２側（小指側）へと伸張させ、裏側踵ホールドベルト２０の内表面のフック面部２５Ａを足首ベルト１０の外表面（ループ面部）に貼り付けて、裏側踵ホールドベルト２０を足２００に装着し固定する。このとき、人によって足２００のサイズは異なるものであるが、足首ベルト１０及び裏側踵ホールドベルト２０は、それぞれ帯状のベルトを巻き回して足２００に装着されるようになっているので、個人の足２００のサイズに対応して足首ベルト１０と裏側踵ホールドベルト２０の配置を微調節することが可能である。したがって、踵足首サポーター１００を個人の足２００に対応させて安定して装着できる。
【００４４】
このようにして、足２００に足首ベルト１０と裏側踵ホールドベルト２０とを固定した後、裏側踵ホールドベルト２０から延びる患部押圧ベルト３０と後側踵ホールドベルト４０とを装着して固定する。これにより、筒状サポーター１１０の上からベルト型サポーター１２０が足２００に装着され固定される。なお、これら患部押圧ベルト３０と後側踵ホールドベルト４０の装着は、踵足首サポーター１００の使用目的により、順序が前後する。
【００４５】
例えば、足首の内反捻挫の防止、及び内反捻挫に起因する足底筋膜炎や踵骨炎の症例緩和のために踵足首サポーター１００を装着する場合は、患部押圧ベルト３０の装着をした後に、後側踵ホールドベルト４０の装着を行う。
【００４６】
具体的には、図７に示したように、裏側踵ホールドベルト２０から延びる患部押圧ベルト３０を伸張させながら、押圧パッド５０を炎症（外傷）を発症している患部（靭帯）に当て、さらに距骨２０６の前方、からショパール関節２０５に沿うように、上内側（母指斜め上方）に向けて伸張させ、脛骨２１１の外面（内くるぶし２０１）、アキレス腱２０８（図５等参照）、腓骨２１２の外面（外くるぶし２０２の上方）に伸ばして、足首２０３の周囲に巻き回す。そして、患部押圧ベルト３０の他端部の内表面のフック面部３５Ａを踵足首サポーター１００の外表面のいずれか、足首ベルト１０又は裏側踵ホールドベルト２０の外表面、あるいは、患部押圧ベルト３０において既に巻き回した状態となっている部分の外表面のいずれかのループ面部に貼り付けて固定する。
【００４７】
このとき、患部押圧ベルト３０の一端部には、裏側踵ホールドベルト２０に交差する部分において、固定部３２に連続して重ね合せ部３３が設けられているので（図４等参照）、裏側踵ホールドベルト２０に対する患部押圧ベルト３０の伸張方向の角度を容易に微調節できる。また、重ね合せ部３３により、裏側踵ホールドベルト２０の足裏カバー部２２を足裏２０４に圧迫でき、裏側踵ホールドベルト２０を足２００に安定して固定させた状態を保持できる。
【００４８】
したがって、図７に示すように、押圧パッド５０で患部を押圧して覆いながら、患部押圧ベルト３０で距骨２０６を後方に向けて押圧することができ、患部押圧ベルト３０を正しい状態で装着することができる。
【００４９】
そして、患部押圧ベルト３０を固定した後、足首ベルト１０と患部押圧ベルト３０との間において裏側踵ホールドベルト２０から延びる後側踵ホールドベルト４０を伸張させながら、内くるぶし２０１及び外くるぶし２０２の下方において、足２００の内側から踵骨２１０近傍の背部を通して足２００の外側に巻き回して固定する。これにより、足２００の内側に入った踵骨２１０を外側に引っ張ることができ、踵骨２１０を足の外側で固定することができる。したがって、後側踵ホールドベルト４０を踵２０９に固定することにより、内転した踵骨２１０の矯正を行えるとともに、踵骨２１０が足２００の内側に入ることを予防でき、内転した踵骨２１０の矯正及び踵骨２１０の内転予防を強固に行える。
【００５０】
また、後側踵ホールドベルト４０には、一端部に設けられた固定部４２に連続して、裏側踵ホールドベルト２０の幅方向の後半分側の外表面に重ねられる重ね合せ部４３が設けられているので（図５等参照）、裏側踵ホールドベルト２０を重ね合せ部４３により足２００の内側に圧迫して、踵骨２１０を安定して足２００の内側から外側にかけて強固に押圧できる。
【００５１】
さらに、後側踵ホールドベルト４０の装着の際には、足首ベルト１０と裏側踵ホールドベルト２０とは、足２００に安定して固定された状態であるので、後側踵ホールドベルト４０を安定して固定できる。また、裏側踵ホールドベルト２０から足２００の後方に延びて設けられる後側踵ホールドベルト４０に対して、患部押圧ベルト３０が裏側踵ホールドベルト２０から斜め前方に延びて固定されているので、後側踵ホールドベルト４０を踵２０９に固定する際に、これら患部押圧ベルト３０と後側踵ホールドベルト４０との間で裏側踵ホールドベルト２０に加えられる張力を均衡させることができ、後側踵ホールドベルト４０を安定した状態で踵２０９に強固に固定できる。したがって、後側踵ホールドベルト４０により、踵骨２１０を安定した配置に確実に保持できる。
【００５２】
一方、踵足首サポーター１００は、二分靭帯損傷や第５中足骨捻挫の治療に用いることもできる。この場合も、図８及び図９に示すように、患部押圧ベルト３０の装着をした後に、後側踵ホールドベルト４０の装着を行う。
【００５３】
具体的には、図８及び図９に示したように、裏側踵ホールドベルト２０から延びる患部押圧ベルト３０を伸張させながら、押圧パッド５０を炎症（外傷）を発症している患部（靭帯や第５中足骨２２５）に当て、患部押圧ベルト３０を足２００の周囲に巻き回す。そして、患部押圧ベルト３０の他端部の内表面のフック面部３５Ａを踵足首サポーター１００の外表面のいずれかのループ面部に貼り付けて固定する。これにより、患部を安静に保持できる。なお、図８と図９とでは、患部押圧ベルト３０の巻回位置を異ならせている。
特に図８に示すように足２００の甲２２１と足裏２０４を一周覆い、舟状骨２０７及び足２００の横アーチ（小指の付け根側から親指の付け根側に至るアーチ）に張力を加えることにより、一番長いベルト（患部押圧ベルト３０）の主な役割である距骨２０６を守るだけでなく、同時に足２００の横アーチ形成不全改善及び、アーチを持ち上げる力を加えることによる、ジャンプや走る時に足関節及び足裏が受ける衝撃を緩和できる効果がある。
【００５４】
さらに、踵足首サポーター１００は、舟状骨炎の治療に用いることもできる。この場合には、図１０に示すように、舟状骨２０７近傍の足裏２０４に押圧パッド５０を当て、患部押圧ベルト３０を伸張させながら足２００の周囲に巻き回す。そして、患部押圧ベルト３０の他端部の内表面のフック面部３５Ａを患部押圧ベルト３０の外表面のループ面部に貼り付けて固定する。このようにして、患部押圧ベルト３０を足２００に装着することで、舟状骨２０７を持ち上げることができる。
【００５５】
また、踵足首サポーター１００は、アキレス腱炎の治療に用いることもできる。例えば、アキレス腱付着部炎の治療においては、図１１に示すように、予め後側踵ホールドベルト４０を装着して踵骨２１０を固定しておき、後側踵ホールドベルト４０の上から、患部押圧ベルト３０を装着する。この際、アキレス腱２０８の付着部に押圧パッド５０を当て、患部押圧ベルト３０を伸張させながら足２００の周囲に巻き回す。そして、患部押圧ベルト３０の他端部のフック面部３５Ａを踵足首サポーター１００の外表面のループ面部に貼り付けて固定することで、アキレス腱２０８の付着部を押圧できる。
【００５６】
また、アキレス腱実質炎の治療においては、図１２に示すように、アキレス腱２０８に押圧パッド５０を当て、患部押圧ベルト３０を伸張させながら足首２０３の周囲に巻き回す。そして、患部押圧ベルト３０の他端部のフック面部３５Ａを踵足首サポーター１００の外表面のループ面部に貼り付けて固定することで、アキレス腱２０８を押圧できる。
【００５７】
図７〜図１２に示す上記のいずれの症例においても、後側踵ホールドベルト４０により、内転した踵骨２１０の矯正を行えるとともに、踵骨２１０が足２００の内側に入ることを予防でき、内転した踵骨２１０の矯正及び踵骨２１０の内転予防を強固に行えるので、他の組織が内側に引っ張られることがなく、患部の保護や治療を安定して行うことができる。
【００５８】
以上説明したように、踵足首サポーター１００は、個人差を生じることなく個人の足２００に安定して装着することが可能であり、後側踵ホールドベルト４０により、踵骨２１０を安定して保持できるので、確実に踵骨２１０の左右偏位を防止、矯正しながら、患部の保護や治療を行える。この場合、筒状サポーター１１０の上からベルト型サポーター１２０を足２００に装着して固定するので、足関節を適切な位置にずれが起きないように固定することができ、しかも、操作が簡単で扱い易い。また、ベルト型サポーター１２０が直接皮膚に触れることがないとともに、ずれにくいので、かぶれや、ずれによる擦傷等が生じにくく、安定して使用することができる。
【００５９】
さらに、筒状サポーター１１０も所定の伸縮性を有しているので、足２００の甲２２１から足裏２０４、踵２０９及び足首２０３までの領域の表面全体を包み込むように適度に圧迫することができ、また、ベルト型サポーター１２０による圧迫力が、筒状サポーター１１０を経由してベルト型サポーター１２０の各ベルトが装着されている部分の周辺にも伝わり、骨だけでなく筋肉も広く押さえることができる。このため、この踵足首サポーター１００を装着した人の歩行等の動作の際に、筋肉の過度の伸長を防止することができる。その反面、筒状サポーター１１０による圧迫力は小さいので、足２００を押さえ過ぎることはなく、筋肉の適度な運動を妨げることはない。
【００６０】
また、患部押圧ベルト３０により、種々の外傷症状の患部の各患部を被覆したり押圧したりすることが可能であるので、足首２０３周辺の骨及び関節の矯正や、外傷症状を緩和して、自由度の高い治療を行うことができる。
【００６１】
＜第２実施形態＞
第２実施形態の踵足首サポーター１０１は、図１３及び図１４に示すように、ベルト型サポーター１２１のうち、後側踵ホールドベルト４００を着脱できるようにしたものである。
【００６２】
すなわち、後側踵ホールドベルト４００の両端部の内表面に、面ファスナーのフック面部４５Ａ，４５Ｂが設けられており、裏側踵ホールドベルト２０の外表面のループ面部に貼り付けることができるようになっている。この後側踵ホールドベルト４００が着脱可能な構成である点以外は、第１実施形態の踵足首サポーター１００と同様の構成であるので、共通要素に同一符号を付してその説明を簡略化する（以下の第３実施形態以降においても同様とする）。
【００６３】
そして、この踵足首サポーター１０１は、筒状サポーター１１０を足２００に装着した後、ベルト型サポーター１２１の足首ベルト１０を足首２０３に固定し、裏側踵ホールドベルト２０を伸長させながら足２００の内くるぶし２０１から足裏２０４、外くるぶし２０２の上を通って、内表面のフック面部２５Ａを足首ベルト１０の外表面（ループ面部）に貼り付ける。次いで、患部押圧ベルト３０を伸長させながら、その先端部の内表面のフック面部３５Ａを足首ベルト１０の外表面又は患部押圧ベルト３０の既に巻き回した部分の外表面のいずれかのループ面部に貼り付けて固定する。
【００６４】
そして、踵２０９の骨部（踵骨２１０）を固定する場合は、さらに、後側踵ホールドベルト４００を取り付ける。この場合、後側踵ホールドベルト４００の一端部を裏側踵ホールドベルト２０又は患部押圧ベルト３０のいずれか、あるいはこれらの両方にまたがった部分の外表面に貼り付け、踵２０９の後側を通して、後側踵ホールドベルト４００の他端部を同様に裏側踵ホールドベルト２０又は患部押圧ベルト３０のいずれか、あるいはこれらの両方にまたがった部分の外表面に貼り付け固定する。
【００６５】
また、踵骨２１０の上方のアキレス腱２０８を固定する場合は、後側踵ホールドベルト４００の取り付け位置を踵骨２１０よりも上方に配置して、アキレス腱２０８の部分を巻き回すように固定する。
【００６６】
なお、このような踵２０９の固定やアキレス腱２０８の固定を特に必要としない場合は、後側踵ホールドベルト４００を取り付けなければよい。
【００６７】
このように、後側踵ホールドベルト４００を着脱できるようにしたことにより、患者の症状に応じて後側踵ホールドベルト４００を使用することができ、その場合に、後側踵ホールドベルト４００を適切な位置で固定することができる。
【００６８】
＜第３実施形態＞
第３実施形態の踵足首サポーター１０２は、図１５に示すようにベルト型サポーター１２２に足２００の甲２２１を押さえる甲ホールドベルト６０が備えられており、筒状サポーター１１０の先端部に、甲ホールドベルト６０が着脱可能に設けられる。
【００６９】
この甲ホールドベルト６０は、足２００の甲２２１から足裏２０４の部分を１周以上巻いて固定するものであり、その外表面は、前述の実施形態における各ベルトと同様、全体にループ面部が設けられており、両端部の内表面にフック面部６０Ａ，６０Ｂが設けられている。また、筒状サポーター１１０の先端部の外周面の一部に、ループ面部１１Ａが設けられており、甲ホールドベルト６０は、この筒状サポーター１１０のループ面部１１Ａに一端部のフック面部６０Ａを貼り付け、足２００の甲２２１の部分に１周以上巻き付けた後に、自身の外表面のループ面部に他端部のフック面部６０Ｂを貼り付け固定する。一部のみにループ面部１１Ａを設けるのではなく、筒状サポーター１１０の外表面の全体又は甲２２１を覆う広い部分をループ面部に形成しておいてもよい。
【００７０】
この甲ホールドベルト６０は、甲２２１の部分のけがの修復や甲２２１の部分の衝撃緩和を必要とする場合に用いることができる。特に、５本の中足骨（足指の骨）それぞれと足２００の甲２２１の骨の間にあるリスフラン関節２１３の痛みを抑える場合に好適である。
【００７１】
＜第４実施形態＞
第４実施形態の踵足首サポーター１０３は、図１６及び図１７に示すように、ベルト型サポーター１２３における後側踵ホールドベルト４０１，４０２が２本設けられている点が第１実施形態等の踵足首サポーターと異なる点である。
【００７２】
すなわち、この第４実施形態の踵足首サポーター１０３においては、後側踵ホールドベルト４０１，４０２は、内くるぶし２０１及び外くるぶし２０２の下方で足裏２０４に近い位置に配置される第１後側踵ホールドベルト４０１と、この第１後側踵ホールドベルト４０１よりも上方で内くるぶし２０１及び外くるぶし２０２に近い位置に配置される第２後側踵ホールドベルト４０２とにより構成されている。これら第１後側踵ホールドベルト４０１及び第２後側踵ホールドベルト４０２は平行に設けられ、いずれも裏側踵ホールドベルト２０の内側カバー部２１に固定されている。
【００７３】
この第４実施形態の踵足首サポーター１０３では、後側踵ホールドベルト４０１，４０２が相互に平行な２本のベルトにより構成されているので、これら第１後側踵ホールドベルト４０１と第２後側踵ホールドベルト４０２の固定力を調整することにより、捻挫の症状等に合わせて適切な状態で足を定することができる。
【００７４】
＜第５実施形態＞
第５実施形態の踵足首サポーター１０４は、第４実施形態の踵足首サポーター１０３と同様、後側踵ホールドベルトが２本のベルトにより構成されているが、裏側踵ホールドベルト２０への固定位置が異なっている。すなわち、第１後側踵ホールドベルト４０１は、その一端部が裏側踵ホールドベルト２０の内側カバー部２１に固定され、第２後側踵ホールドベルト４０３は、その一端部が裏側踵ホールドベルト２０の外側カバー部２３上で患部押圧ベルト３０に固定されている。
【００７５】
これにより、この第５実施形態の踵足首サポーター１０４を足２００に装着すると、第１後側踵ホールドベルト４０１と第２後側踵ホールドベルト４０２とが左右逆の位置に配置されることになる。つまり、第１後側踵ホールドベルト４０１は、内くるぶし２０１側で端部が裏側踵ホールドベルト２０に固定され、外くるぶし２０２側の端部の内表面のフック面部４５Ａで固定されるのに対して、第２後側踵ホールドベルト４０３は、外くるぶし２０２側で端部が裏側踵ホールドベルト２０上の患部押圧ベルト３０に固定され、内くるぶし２０１側の端部の内表面にフック面部４５Ａで固定される。
【００７６】
この第５実施形態の踵足首サポーター１０４では、２本の後側踵ホールドベルト４０１，４０３により、踵２０９に内側から外側へ、及び外側から内側への両方向に力を加えることができるので、これらの固定力をそれぞれ調整することにより、捻挫の症状等に合わせてさらに最適な状態で足２００を固定することができる。
【００７７】
以上説明したいずれの踵足首サポーター１００，１０１，１０２，１０３，１０４においても、足２００に正しく装着されることにより、足２００の重要な筋肉、靭帯、腱、骨を同時にしっかりと押さえ、身体を支える上で最も重要な足２００の関節を支えて、痛みを抑制することができる。また、関節の中心部にかかる圧力により、足２００を本来の正しい形に矯正できる。矯正が完了すると、本来の人間の足の軸が揃うようになり、軸が揃うことで、さらに、次のような効果も奏することができる。
【００７８】
すなわち、足２００の軸を固定することにより、下半身の軸が支持され、足首２０３を始め、すね、ふくらはぎ、膝、膝裏、太もも、お尻、股関節、腰に至る部分の不安や痛みを緩和できる。また、下半身の軸を支持することにより、体幹、背骨も安定し、上半身の猫背や肩こり、ストレートネックといった現代病も改善することができる。さらに、足首２０３から足先周辺までを固定できるので、距骨、踵骨、ショパール関節、リスフラン関節、脛腓靱帯結合部分等も支持することができる。
【００７９】
また、下半身の軸を支持することにより、高齢者の変形性膝関節症、変形性股関節症の予防、若年者のＯ脚、Ｘ脚の予防、下半身軸の正常化による骨盤の位置偏位を防ぐことが椎間板ヘルニアや脊柱管狭窄症の痛みの改善、発症の予防などが可能となる。
膝のサポーター、腰のコルセットなどが担当していた効果もこの踵足首サポーター１００，１０１，１０２，１０３，１０４一つで賄える。
【００８０】
さらに、この踵足首サポーター１００，１０１，１０２，１０３，１０４を継続して装着することにより、足首１０３の関節の位置が正常化すると、次のような症状の予防、改善等の恩恵を享受できる。
１．外反母趾
２．内反小趾
３．足の親指の種子骨障害
４．偏平足、足の舟状骨周囲の痛み、載距突起の痛み
５．かかと全般の痛み(剥離骨折、アキレス腱炎やアキレス腱断裂も含む)、骨端炎、かかとの骨の変形、とげ状変形(骨棘)、シーバー病、後方インピンジメント症候群及び三角骨障害
６．足の裏全般の痛み(足底筋膜炎など)、第５中足骨(足の小指側)周辺の痛み、足の裏のつれ、足の指を曲げる力の低下(地面を蹴る力の低下)、下駄骨折
７．足の裏のたこ、うおのめ、巻き爪、足首から始まる末梢神経、血管障害
８．モートン病
９．ハンマートゥ
１０．リスフラン関節症及び足の甲の痛み、足首のガングリオン
１１．距骨不安定症及び脛腓靭帯結合部の痛み
１２．ショパール関節症
１３．足首周囲靭帯障害(前距腓、中距腓、後距腓、三角靭帯、二分靭帯など)
１４．足根洞症候群
１５．脛腓靭帯結合障害
１６．後脛骨筋炎及び後脛骨筋付着部炎、第１、第２ケーラー病
１７．足のむくみ、冷え、下肢静脈瘤
１８．すねの痛み、すねに起こる神経痛、脛腓関節障害
１９．シンスプリント
２０．ふくらはぎの痛み全般、ふくらはぎに起こる神経痛、ふくらはぎのつれ
２１．膝蓋靭帯炎
２２．オスグッド病、ホッファ病、ジャンパーズニー、シンディングラルセンヨハンソン病
２３．膝裏の痛み、膝窩筋炎、膝窩リンパ腫、ベイカー嚢腫
２４．鶩足炎(膝の内側の痛み)
２５．腸脛靭帯炎及び大腿筋膜張筋炎、それに伴う大転子痛
２６．左右膝側副靭帯損傷、変形性膝関節症及びO脚、X脚
２７．ふとももの表や内側のそれぞれ各筋肉の痛み、肉離れ(大腿四頭筋炎、恥骨筋炎、薄筋炎、内転筋炎など)
２８．ふとももの裏のそれぞれの各筋肉の痛み、肉離れ(大腿二頭筋など)
２９．股関節の痛み及び足の付け根の痛み、腸腰筋の痛み、グローインペイン
３０．変形性股関節症
３１．おしりの筋肉の痛み及びそれにともなう坐骨神経痛、小殿筋関連痛、上殿皮神経痛    
３２．仙腸関節性腰痛とそれに伴う坐骨神経痛
３３．腸骨稜周囲の筋硬結及び痛み、骨盤のゆがみ(高さの違い、前傾、後傾)
３４．腰の筋肉の痛み(腰方形筋、大腰筋、腸肋筋)及びそれに伴う大腿神経痛
３５．脊柱管狭窄症、腰の椎間板ヘルニア、ぎっくり腰
３６．腹筋の筋緊張
３７．上記の症状をかばい影響の出る顔からつま先まで全身の筋及び関節の痛み、歪み、肩こりや首こり、体幹及び筋力の低下、片足立ちの時ふらつく、足のひきずり、まっすぐしゃがもうとすると後ろに倒れてしまう、など。
【００８１】
この踵足首サポーター１００，１０１，１０２，１０３，１０４を装着することで、子供から高齢者まで足首周辺の関節を守ることができる。
【００８２】
なお、本発明の実施形態は、前記構成のものに限定されるものではなく、細部構成においては、本発明の趣旨を逸脱しない範囲において種々の変更を加えることが可能である。
【００８３】
例えば、踵足首サポーターを耐水性・撥水性を有する樹脂ゴム等により形成すれば、水中でも装着でき、水泳時のバタ足などで弛緩した人体の保護も可能である。また、高齢者、青壮年、若年層など、装着者によって下肢関節の基礎的状態が異なることを考慮して、伸縮性の異なる素材を用いたり、全体の寸法を変更したりすることにより、より適切な保護・矯正が可能である。
【００８４】
また、踵足首サポーターを構成する各ベルト（足首ベルト、裏側踵ホールドベルト、患部押圧ベルト、後側踵ホールドベルト）の外表面に、目盛りを設けることで、各ベルトをどの程度伸張させて装着したかを確認することができる。
【産業上の利用可能性】
【００８５】
本発明の踵足首サポーターは、足首周辺の骨や関節を矯正するために用いることができ、足首周辺の骨や関節及び筋肉を固定することができる。
【符号の説明】
【００８６】
１０  足首ベルト
１５Ａ，２５Ａ，３５Ａ，４５Ａ，４５Ｂ，６０Ａ，６０Ｂ  フック面部
２０  裏側踵ホールドベルト
２１  内側カバー部
２２  足裏カバー部
２３  外側カバー部
２４  固定部
３０  患部押圧ベルト
３１  押圧部
３２  固定部
３３  重ね合せ部
４０，４００  後側踵ホールドベルト
４０１  第１後側踵ホールドベルト
４０２，４０３  第２後側踵ホールドベルト
４１  後側カバー部
４２  固定部
４３  重ね合せ部
５０  押圧パッド
５１  保持ベルト
６０  甲ホールドベルト
１００，１０１，１０２，１０３，１０４  踵足首サポーター
１１０  筒状サポーター
１１１  サポーター本体
１１２  ベルトループ
１２０，１２１，１２３，１２４  ベルト型サポーター
２００  足
２０１  内くるぶし
２０２  外くるぶし
２０３  足首
２０４  足裏
２０５  ショパール関節
２０６  距骨
２０７  舟状骨
２０８  アキレス腱
２０９  踵
２１０  踵骨
２１１  脛骨
２１２  腓骨
２１３  リスフラン関節
２２１  甲
２２５  第５中足骨
【図１】
2019159281.tif 000003
【図２】
2019159281.tif 000004
【図３】
2019159281.tif 000005
【図４】
2019159281.tif 000006
【図５】
2019159281.tif 000007
【図６】
2019159281.tif 000008
【図７】
2019159281.tif 000009
【図８】
2019159281.tif 000010
【図９】
2019159281.tif 000011
【図１０】
2019159281.tif 000012
【図１１】
2019159281.tif 000013
【図１２】
2019159281.tif 000014
【図１３】
2019159281.tif 000015
【図１４】
2019159281.tif 000016
【図１５】
2019159281.tif 000017
【図１６】
2019159281.tif 000018
【図１７】
2019159281.tif 000019
【図１８】
2019159281.tif 000020
【図１９】
2019159281.tif 000021
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
人体の足に装着可能な、伸縮性を有する踵足首サポーターであって、
足の甲から足裏、踵及び足首までの領域の表面を覆うことが可能な筒状サポーターと、前記筒状サポーターに取り付けられ、前記筒状サポーターの上から足に装着可能なベルト型サポーターとを備え、
前記ベルト型サポーターは、それぞれ帯状に形成された足首ベルトと、裏側踵ホールドベルトと、患部押圧ベルトと、後側踵ホールドベルトとを備え、
前記足首ベルトは、前記足の内くるぶし及び外くるぶしの上方で足首に巻き回されることにより前記足首に固定可能に設けられ、
前記裏側踵ホールドベルトは、長手方向の一端部が前記足首ベルトに固定され、該一端部から他端部にかけて前記足首ベルトの下方に向けて延びて設けられ、前記足首ベルトに連続して設けられて前記内くるぶし近傍を覆うことができる内側カバー部と、この内側カバー部に連続して設けられて踵骨前部の足裏を覆うことができる足裏カバー部と、この足裏カバー部に連続して設けられて前記外くるぶし近傍を覆うことができる外側カバー部とを備えており、前記裏側踵ホールドベルトの他端部が前記足首ベルトの外表面に固定されることにより伸張状態で前記足裏を通して前記足に固定可能であり、
前記患部押圧ベルトは、長手方向の一端部が前記裏側踵ホールドベルトに固定され、該一端部から他端部にかけて前記裏側踵ホールドベルトから徐々に離れる方向の斜め前方に延びて設けられ、前記足の外側から前記足の甲側を通して前記足の内側に向かう方向に巻き回されて患部を覆うことができる押圧部を備えており、前記患部押圧ベルトの他端部が前記足首ベルト、前記裏側踵ホールドベルト又は、前記患部押圧ベルトの長手方向の途中位置のいずれかの外表面に固定されることにより伸張状態で前記患部を覆って前記足に固定可能であり、
前記後側踵ホールドベルトは、長手方向の一端部が前記内くるぶし及び前記外くるぶしの下方において前記裏側踵ホールドベルトに固定され、前記裏側踵ホールドベルトから後方に向けて前記足首ベルトと平行に延びて設けられ、前記踵骨近傍の背部を覆うことができる後側カバー部を備えており、前記後側踵ホールドベルトの他端部が前記外側カバー部の外表面に固定されることにより伸張状態で前記背部を覆って前記足の踵に固定可能であり、
前記筒状サポーターは、前記ベルト型サポーターよりも伸びが大きい布製であり、用いられる糸の太さは３０デニール以上７０デニール以下、衣服圧が１０ｍｍＨｇ以上２０ｍｍＨｇ以下であり、
前記ベルト型サポーターは前記筒状サポーターに着脱可能であり、前記筒状サポーターに、前記足首ベルトを挿通して保持するベルトループが設けられていることを特徴とする踵足首サポーター。
【請求項２】
前記筒状サポーターの伸張力は前記ベルト型サポーターの各ベルトよりも伸びが大きいことを特徴とする請求項１記載の踵足首サポーター。
【請求項３】
前記後側踵ホールドベルトは前記ベルト型サポーターに着脱可能に設けられていることを特徴とする請求項１記載の踵足首サポーター。
【請求項４】
前記筒状サポーターの先端部に、足の甲から足裏の部分を１周以上巻いて固定可能な甲ホールドベルトが着脱可能に設けられていることを特徴とする請求項１記載の踵足首サポーター。
【請求項５】
前記後側踵ホールドベルトは、前記内くるぶし及び前記外くるぶしの下方で足裏に近い位置に設けられる第１後側踵ホールドベルトと、前記第１後側踵ホールドベルトよりも前記内くるぶし及び前記外くるぶしに近い位置に設けられる第２後側踵ホールドベルトとの２本により構成されていることを特徴とする請求項１記載の踵足首サポーター。
【請求項６】
前記第１後側踵ホールドベルトは、その一端部が前記裏側踵ホールドベルトの内側カバー部に固定され、前記第２後側踵ホールドベルトは、その一端部が前記裏側踵ホールドベルトの外側カバー部に固定されていることを特徴とする請求項５記載の踵足首サポーター。
【請求項７】
前記筒状サポーターは吸湿発熱生地により形成されていることを特徴とする請求項１記載の踵足首サポーター。
【手続補正２】
【補正対象書類名】明細書
【補正対象項目名】０００９
【補正方法】変更
【補正の内容】
【０００９】
本発明は、人体の足に装着可能な、伸縮性を有する踵足首サポーターであって、足の甲から足裏、踵及び足首までの領域の表面を覆うことが可能な筒状サポーターと、前記筒状サポーターに取り付けられ、前記筒状サポーターの上から足に装着可能なベルト型サポーターとを備え、前記ベルト型サポーターは、それぞれ帯状に形成された足首ベルトと、裏側踵ホールドベルトと、患部押圧ベルトと、後側踵ホールドベルトとを備え、前記足首ベルトは、前記足の内くるぶし及び外くるぶしの上方で足首に巻き回されることにより前記足首に固定可能に設けられ、前記裏側踵ホールドベルトは、長手方向の一端部が前記足首ベルトに固定され、該一端部から他端部にかけて前記足首ベルトの下方に向けて延びて設けられ、前記足首ベルトに連続して設けられて前記内くるぶし近傍を覆うことができる内側カバー部と、この内側カバー部に連続して設けられて踵骨前部の足裏を覆うことができる足裏カバー部と、この足裏カバー部に連続して設けられて前記外くるぶし近傍を覆うことができる外側カバー部とを備えており、前記裏側踵ホールドベルトの他端部が前記足首ベルトの外表面に固定されることにより伸張状態で前記足裏を通して前記足に固定可能であり、前記患部押圧ベルトは、長手方向の一端部が前記裏側踵ホールドベルトに固定され、該一端部から他端部にかけて前記裏側踵ホールドベルトから徐々に離れる方向の斜め前方に延びて設けられ、前記足の外側から前記足の甲側を通して前記足の内側に向かう方向に巻き回されて患部を覆うことができる押圧部を備えており、前記患部押圧ベルトの他端部が前記足首ベルト、前記裏側踵ホールドベルト又は、前記患部押圧ベルトの長手方向の途中位置のいずれかの外表面に固定されることにより伸張状態で前記患部を覆って前記足に固定可能であり、前記後側踵ホールドベルトは、長手方向の一端部が前記内くるぶし及び前記外くるぶしの下方において前記裏側踵ホールドベルトに固定され、前記裏側踵ホールドベルトから後方に向けて前記足首ベルトと平行に延びて設けられ、前記踵骨近傍の背部を覆うことができる後側カバー部を備えており、前記後側踵ホールドベルトの他端部が前記外側カバー部の外表面に固定されることにより伸張状態で前記背部を覆って前記足の踵に固定可能であり、前記筒状サポーターは、布製であり、用いられる糸の太さは３０デニール以上７０デニール以下、衣服圧が１０ｍｍＨｇ以上２０ｍｍＨｇ以下であり、前記ベルト型サポーターは前記筒状サポーターに着脱可能であり、前記筒状サポーターに、前記足首ベルトを挿通して保持するベルトループが設けられている。
【手続補正３】
【補正対象書類名】明細書
【補正対象項目名】００１４
【補正方法】変更
【補正の内容】
【００１４】
この場合、足の甲から足裏、踵及び足首までの領域の表面が筒状サポーターによって覆われ、その上からベルト型サポーターが巻き回されて固定されるので、ベルト型サポーターが直接皮膚に触れることがないとともに、ずれにくいので、かぶれや、ずれによる擦傷等が生じにくく、安定して使用することができる。
また、ベルト型サポーターは筒状サポーターに着脱可能であり、筒状サポーターに、足首ベルトを挿通して保持するベルトループが設けられているので、筒状サポーターとベルト型サポーターとをそれぞれ最も適切な位置に固定することができる。また、筒状サポーターのベルトループにベルト型サポーターの足首ベルトを挿通した状態とすることにより、筒状サポーターとベルト型サポーターとを一体的に取り扱うことができるとともに、装着状態でのずれを確実に防止することができる。
【手続補正４】
【補正対象書類名】明細書
【補正対象項目名】００１７
【補正方法】削除
【補正の内容】
【国際調査報告】
2019159281.tif 000022
2019159281.tif 000023
2019159281.tif 000024
2019159281.tif 000025